(57)【特許請求の範囲】
【請求項１】
被写体を撮像する撮像装置と、
入力される画像信号に基づいて画像を生成する画像生成手段と、
前記画像生成手段で生成されている画像を照明して投射する投射照明装置と、
前記被写体を照明する被写体照明装置と、
前記撮像装置から出力される第１画像信号および外部から入力される第２画像信号のいずれか一方を選択して前記画像生成手段に出力する選択手段と、
前記第１画像信号および前記第２画像信号のいずれか一方を選択するよう指令する指令手段と、
前記指令手段から前記第１画像信号を選択するよう指令されたとき、前記被写体照明装置を点灯する制御手段とを備えることを特徴とする画像入出力装置。
【請求項２】
請求項１に記載の画像入出力装置において、
前記被写体照明装置の点灯完了を判断する判断手段を備え、
前記制御手段は、前記判断手段が前記被写体照明装置の点灯完了を判断するまで前記第１画像信号に基づく前記画像生成手段の画像生成を禁止することを特徴とする画像入出力装置。
【請求項３】
請求項１に記載の画像入出力装置において、
前記被写体照明装置の点灯完了を判断する判断手段を備え、
前記制御手段は、前記判断手段により前記被写体照明装置の点灯完了を判断した後に前記第１画像信号を選択するように前記選択手段を駆動することを特徴とする画像入出力装置。
【請求項４】
被写体を撮像する撮像装置と、
入力される画像信号に基づいて画像を生成する画像生成手段と、
前記画像生成手段で生成されている画像を照明して投射する投射照明装置と、
前記被写体を照明する被写体照明装置と、
前記撮像装置から出力される第１画像信号および外部から入力される第２画像信号のいずれか一方を選択して前記画像生成手段に出力する選択手段と、
前記第１画像信号および前記第２画像信号のいずれか一方を選択するよう指令する指令手段と、
前記指令手段から指令される前記第２画像信号の選択指令に基づいて、前記被写体照明装置を消灯する制御手段とを備えることを特徴とする画像入出力装置。
【請求項５】
請求項４に記載の画像入出力装置において、
前記制御手段は、前記選択手段で前記第２画像信号を選択して入力した後に前記被写体照明装置を消灯することを特徴とする画像入出力装置。
【請求項６】
被写体を撮像して画像信号を出力する撮像装置と、
前記被写体を照明する被写体照明装置と、
前記撮像装置から出力される第１画像信号および外部から入力される第２画像信号のいずれか一方を選択して出力する選択手段と、
前記第１画像信号および前記第２画像信号のいずれか一方を選択するよう指令する指令手段と、
前記指令手段から前記第１画像信号を選択するよう指令されたとき、前記被写体照明装置を点灯する制御手段とを備えることを特徴とする資料提示装置。
【請求項７】
請求項６に記載の資料提示装置において、
前記被写体照明装置の点灯完了を判断する判断手段を備え、
前記制御手段は、前記判断手段が前記被写体照明装置の点灯完了を判断するまで前記第１画像信号の出力を禁止することを特徴とする資料提示装置。
【請求項８】
請求項６に記載の資料提示装置において、
前記被写体照明装置の点灯完了を判断する判断手段を備え、
前記制御手段は、前記判断手段が前記被写体照明装置の点灯完了を判断した後に前記第１画像信号を選択するように前記選択手段を駆動することを特徴とする資料提示装置。
【請求項９】
被写体を撮像して画像信号を出力する撮像装置と、
前記被写体を照明する被写体照明装置と、
前記撮像装置から出力される第１画像信号および外部から入力される第２画像信号のいずれか一方を選択して出力する選択手段と、
前記第１画像信号および前記第２画像信号のいずれか一方を選択するよう指令する指令手段と、
前記指令手段から指令される前記第２画像信号の選択指令に基づいて、前記被写体照明装置を消灯する制御手段とを備えることを特徴とする資料提示装置。
【請求項１０】
請求項９に記載の資料提示装置において、
前記制御手段は、前記選択手段で前記第２画像信号を選択して入力した後に前記被写体照明装置を消灯することを特徴とする資料提示装置。
【請求項１１】
被写体を撮像する撮像装置と、
入力される画像信号に基づいて画像を生成する画像生成手段と、
前記画像生成手段で生成されている画像を照明して投射する投射照明装置と、
前記被写体を照明する被写体照明装置と、
前記撮像装置から出力される第１画像信号および外部から入力される第２画像信号のいずれか一方を選択して前記画像生成手段に出力する選択手段と、
前記被写体照明装置の点灯を指令する指令手段と、
前記指令手段から指令される前記被写体照明装置の点灯指令に基づいて、前記第１画像信号を選択するように前記選択手段を駆動する制御手段とを備えることを特徴とする画像入出力装置。
【請求項１２】
請求項１１に記載の画像入出力装置において、
前記被写体照明装置の点灯完了を判断する判断手段を備え、
前記制御手段は、前記判断手段が前記被写体照明装置の点灯完了を判断するまで、前記第１画像信号に基づく前記画像生成手段の画像生成を禁止することを特徴とする画像入出力装置。
【請求項１３】
請求項１１に記載の画像入出力装置において、
前記被写体照明装置の点灯完了を判断する判断手段を備え、
前記制御手段は、前記判断手段が前記被写体照明装置の点灯完了を判断した後に前記第１画像信号を選択するように前記選択手段を駆動することを特徴とする画像入出力装置。
【請求項１４】
被写体を撮像する撮像装置と、
入力される画像信号に基づいて画像を生成する画像生成手段と、
前記画像生成手段で生成されている画像を照明して投射する投射照明装置と、
前記被写体を照明する被写体照明装置と、
前記撮像装置から出力される第１画像信号および外部から入力される第２画像信号のいずれか一方を選択して前記画像生成手段に出力する選択手段と、
前記被写体照明装置の消灯を指令する指令手段と、
前記指令手段から指令される前記被写体照明装置の消灯指令に基づいて、前記第２画像信号を選択するように前記選択手段を駆動する制御手段とを備えることを特徴とする画像入出力装置。
【請求項１５】
請求項１４に記載の画像入出力装置において、
前記制御手段は、前記選択手段で前記第２画像信号を選択して入力した後に前記被写体照明装置を消灯することを特徴とする画像入出力装置。
【請求項１６】
被写体を撮像して画像信号を出力する撮像装置と、
前記被写体を照明する被写体照明装置と、
前記撮像装置から出力される第１画像信号および外部から入力される第２画像信号のいずれか一方を選択して出力する選択手段と、
前記被写体照明装置の点灯を指令する指令手段と、
前記指令手段から指令される前記被写体照明装置の点灯指令に基づいて、前記第１画像信号を選択するように前記選択手段を駆動する制御手段とを備えることを特徴とする資料提示装置。
【請求項１７】
請求項１６に記載の資料提示装置において、
前記被写体照明装置の点灯完了を判断する判断手段を備え、
前記制御手段は、前記判断手段が前記被写体照明装置の点灯完了を判断するまで、前記第１画像信号の出力を禁止することを特徴とする資料提示装置。
【請求項１８】
請求項１６に記載の資料提示装置において、
前記被写体照明装置の点灯完了を判断する判断手段を備え、
前記制御手段は、前記判断手段が前記被写体照明装置の点灯完了を判断した後で前記第１画像信号を選択するように前記選択手段を駆動することを特徴とする資料提示装置。
【請求項１９】
被写体を撮像して画像信号を出力する撮像装置と、
前記被写体を照明する被写体照明装置と、
前記撮像装置から出力される第１画像信号および外部から入力される第２画像信号のいずれか一方を選択して出力する選択手段と、
前記被写体照明装置の消灯を指令する指令手段と、
前記指令手段から指令される前記被写体照明装置の消灯指令に基づいて、前記第２画像信号を選択するように前記選択手段を駆動する制御手段とを備えることを特徴とする資料提示装置。
【請求項２０】
請求項１９に記載の資料提示装置において、
前記制御手段は、前記選択手段で前記第２画像信号が選択された後に前記被写体照明装置を消灯することを特徴とする資料提示装置。
【請求項２１】
被写体を撮像する撮像装置と、
入力される画像信号に基づいて画像を生成する画像生成手段と、
前記画像生成手段で生成されている画像を照明して投射する投射照明装置と、
前記被写体を照明する被写体照明装置と、
外部記憶媒体が装着される装着部と、
前記撮像装置から出力される第１画像信号および前記装着部に装着された外部記憶媒体から入力される第２画像信号のいずれか一方を選択して前記画像生成手段に出力する選択手段と、
前記外部記憶媒体が前記装着部に装着されていることを検出する検出手段と、
前記検出手段により前記外部記憶媒体の装着が検出されると前記被写体照明装置を消灯する制御手段とを備えることを特徴とする画像入出力装置。
【請求項２２】
被写体を撮像して画像信号を出力する撮像装置と、
前記被写体を照明する被写体照明装置と、
外部記憶媒体が装着される装着部と、
前記撮像装置から出力される第１画像信号および装着された外部記憶媒体から入力される第２画像信号のいずれか一方を選択して出力する選択手段と、
前記外部記憶媒体が前記装着部に装着されていることを検出する検出手段と、
前記検出手段により前記外部記憶媒体の装着が検出されると前記被写体照明装置を消灯する制御手段とを備えることを特徴とする資料提示装置。
【発明の詳細な説明】
【０００１】
【発明の属する技術分野】
本発明は、被写体を撮像して画像信号に変換し、この画像信号による映像をスクリーンに向けて投射する画像入出力装置、および被写体を撮像して画像信号を出力する資料提示装置に関する。
【０００２】
【従来の技術】
従来から、載置台上に載置された被写体をＣＣＤのような撮像素子で撮像して画像信号に変換し、この画像信号により液晶パネル上に画像を生成し、液晶パネルを投射ランプで照明して映像をスクリーンに向けて投射するカメラ付き液晶プロジェクタが知られている。このような液晶プロジェクタは、載置台上に載置された被写体を照明する照明ランプも備えている。また、撮像素子で撮像した画像信号による映像を投射させるか、あるいは外部から入力された画像信号による映像を投射させるかを切換えることもできる。
【０００３】
【発明が解決しようとする課題】
上述した従来の液晶プロジェクタでは、スクリーンに映像を投射するとき、載置台に被写体を載置してから以下のように多くのスイッチを操作する必要がある。すなわち、撮像した画像信号による映像を投射させるか、あるいは外部から入力された画像信号による映像を投射させるかを切換える切換えスイッチ、被写体用照明ランプを点消灯する被写体照明スイッチ、あるいは投射ランプを点消灯する投射照明スイッチなどの操作が必要である。操作するスイッチの数が多いと、操作が煩雑になって使いづらい。
【０００４】
本発明の目的は、撮像装置の画像信号選択により被写体照明装置を点灯するなど、所定の指令に連動して対応する所定の動作を行うことにより、スイッチの操作を減らして使いやすくした画像入出力装置、および資料提示装置を提供することにある。
【０００５】
【課題を解決するための手段】
一実施の形態を示す図に対応づけて本発明を説明する。
（１）請求項１の発明による画像入出力装置は、被写体３を撮像する撮像装置１と、入力される画像信号に基づいて画像を生成する画像生成手段２９と、画像生成手段２９で生成されている画像を照明して投射する投射照明装置３１と、被写体３を照明する被写体照明装置４と、撮像装置１から出力される第１画像信号および外部から入力される第２画像信号のいずれか一方を選択して画像生成手段２９に出力する選択手段２６と、第１画像信号および第２画像信号のいずれか一方を選択するよう指令する指令手段４４，４５と、指令手段４４，４５から第１画像信号を選択するよう指令されたとき、被写体照明装置４を点灯する制御手段５２とを備えることにより、上記目的を達成する。
（２）請求項２の発明は、請求項１に記載の画像入出力装置において、被写体照明装置４の点灯完了を判断する判断手段５２を備え、制御手段５２は、判断手段５２が被写体照明装置４の点灯完了を判断するまで第１画像信号に基づく画像生成手段２９の画像生成を禁止することを特徴とする。
（３）請求項３の発明は、請求項１に記載の画像入出力装置において、被写体照明装置４の点灯完了を判断する判断手段５２を備え、制御手段５２は、判断手段５２により被写体照明装置４の点灯完了を判断した後に第１画像信号を選択するように選択手段２６を駆動することを特徴とする。
（４）請求項４の発明による画像入出力装置は、被写体３を撮像する撮像装置１と、入力される画像信号に基づいて画像を生成する画像生成手段２９と、画像生成手段２９で生成されている画像を照明して投射する投射照明装置３１と、被写体３を照明する被写体照明装置４と、撮像装置１から出力される第１画像信号および外部から入力される第２画像信号のいずれか一方を選択して画像生成手段２９に出力する選択手段２６と、第１画像信号および第２画像信号のいずれか一方を選択するよう指令する指令手段４４，４５と、指令手段４４，４５から指令される第２画像信号の選択指令に基づいて、被写体照明装置４を消灯する制御手段５２とを備えることにより、上記目的を達成する。
（５）請求項５の発明は、請求項４に記載の画像入出力装置において、制御手段５２は、選択手段２６で第２画像信号を選択して入力した後に被写体照明装置４を消灯することを特徴とする。
（６）請求項６の発明による資料提示装置は、被写体３を撮像して画像信号を出力する撮像装置１と、被写体３を照明する被写体照明装置４と、撮像装置１から出力される第１画像信号および外部から入力される第２画像信号のいずれか一方を選択して出力する選択手段２６Ａと、第１画像信号および第２画像信号のいずれか一方を選択するよう指令する指令手段４４，４５と、指令手段４４，４５から第１画像信号を選択するよう指令されたとき、被写体照明装置４を点灯する制御手段５２Ａとを備えることにより、上記目的を達成する。
（７）請求項７の発明は、請求項６に記載の資料提示装置において、被写体照明装置４の点灯完了を判断する判断手段５２Ａを備え、制御手段５２Ａは、判断手段５２Ａが被写体照明装置４の点灯完了を判断するまで第１画像信号の出力を禁止することを特徴とする。
（８）請求項８の発明は、請求項６に記載の資料提示装置において、被写体照明装置４の点灯完了を判断する判断手段５２Ａを備え、制御手段５２Ａは、判断手段５２Ａが被写体照明装置４の点灯完了を判断した後に第１画像信号を選択するように選択手段２６Ａを駆動することを特徴とする。
（９）請求項９の発明による資料提示装置は、被写体３を撮像して画像信号を出力する撮像装置１と、被写体３を照明する被写体照明装置４と、撮像装置１から出力される第１画像信号および外部から入力される第２画像信号のいずれか一方を選択して出力する選択手段２６Ａと、第１画像信号および第２画像信号のいずれか一方を選択するよう指令する指令手段４４，４５と、指令手段４４，４５から指令される第２画像信号の選択指令に基づいて、被写体照明装置４を消灯する制御手段５２Ａとを備えることにより、上記目的を達成する。
（１０）請求項１０の発明は、請求項９に記載の資料提示装置において、制御手段５２Ａは、選択手段２６Ａで第２画像信号を選択して入力した後に被写体照明装置４を消灯することを特徴とする。
（１１）請求項１１の発明による画像入出力装置は、被写体３を撮像する撮像装置１と、入力される画像信号に基づいて画像を生成する画像生成手段２９と、画像生成手段２９で生成されている画像を照明して投射する投射照明装置３１と、被写体３を照明する被写体照明装置４と、撮像装置１から出力される第１画像信号および外部から入力される第２画像信号のいずれか一方を選択して画像生成手段２９に出力する選択手段２６と、被写体照明装置４の点灯を指令する指令手段４６と、指令手段４６から指令される被写体照明装置４の点灯指令に基づいて、第１画像信号を選択するように選択手段２６を駆動する制御手段５２とを備えることにより、上記目的を達成する。
（１２）請求項１２の発明は、請求項１１に記載の画像入出力装置において、被写体照明装置４の点灯完了を判断する判断手段５２を備え、制御手段５２は、判断手段５２が被写体照明装置４の点灯完了を判断するまで、第１画像信号に基づく画像生成手段２９の画像生成を禁止することを特徴とする。
（１３）請求項１３の発明は、請求項１１に記載の画像入出力装置において、被写体照明装置４の点灯完了を判断する判断手段５２を備え、制御手段５２は、判断手段５２が被写体照明装置４の点灯完了を判断した後に第１画像信号を選択するように選択手段２６を駆動することを特徴とする。
（１４）請求項１４の発明による画像入出力装置は、被写体３を撮像する撮像装置１と、入力される画像信号に基づいて画像を生成する画像生成手段２９と、画像生成手段２９で生成されている画像を照明して投射する投射照明装置３１と、被写体３を照明する被写体照明装置４と、撮像装置１から出力される第１画像信号および外部から入力される第２画像信号のいずれか一方を選択して画像生成手段２９に出力する選択手段２６と、被写体照明装置４の消灯を指令する指令手段４６と、指令手段４６から指令される被写体照明装置４の消灯指令に基づいて、第２画像信号を選択するように選択手段２６を駆動する制御手段５２とを備えることにより、上記目的を達成する。
（１５）請求項１５の発明は、請求項１４に記載の画像入出力装置において、制御手段５２は、選択手段２６で第２画像信号を選択して入力した後に被写体照明装置４を消灯することを特徴とする。
（１６）請求項１６の発明による資料提示装置は、被写体３を撮像して画像信号を出力する撮像装置１と、被写体３を照明する被写体照明装置４と、撮像装置１から出力される第１画像信号および外部から入力される第２画像信号のいずれか一方を選択して出力する選択手段２６Ａと、被写体照明装置４の点灯を指令する指令手段４６と、指令手段４６から指令される被写体照明装置４の点灯指令に基づいて、第１画像信号を選択するように選択手段２６Ａを駆動する制御手段５２Ａとを備えることにより、上記目的を達成する。
（１７）請求項１７の発明は、請求項１６に記載の資料提示装置において、被写体照明装置４の点灯完了を判断する判断手段５２Ａを備え、制御手段５２Ａは、判断手段５２Ａが被写体照明装置４の点灯完了を判断するまで、第１画像信号の出力を禁止することを特徴とする。
（１８）請求項１８の発明は、請求項１６に記載の資料提示装置において、被写体照明装置４の点灯完了を判断する判断手段５２Ａを備え、制御手段５２Ａは、判断手段５２Ａが被写体照明装置４の点灯完了を判断した後で第１画像信号を選択するように選択手段２６Ａを駆動することを特徴とする。
（１９）請求項１９の発明による資料提示装置は、被写体３を撮像して画像信号を出力する撮像装置１と、被写体３を照明する被写体照明装置４と、撮像装置１から出力される第１画像信号および外部から入力される第２画像信号のいずれか一方を選択して出力する選択手段２６と、被写体照明装置４の消灯を指令する指令手段４６と、指令手段４６から指令される被写体照明装置４の消灯指令に基づいて、第２画像信号を選択するように選択手段２６Ａを駆動する制御手段５２Ａとを備えることにより、上記目的を達成する。
（２０）請求項２０の発明は、請求項１９に記載の資料提示装置において、制御手段５２Ａは、選択手段２６Ａで第２画像信号が選択された後に被写体照明装置４を消灯することを特徴とする。
（２１）請求項２１の発明による画像入出力装置は、被写体３を撮像する撮像装置１と、入力される画像信号に基づいて画像を生成する画像生成手段２９と、画像生成手段２９で生成されている画像を照明して投射する投射照明装置３１と、被写体３を照明する被写体照明装置４と、外部記憶媒体が装着される装着部１０１と、撮像装置１から出力される第１画像信号および装着部１０１に装着された外部記憶媒体から入力される第２画像信号のいずれか一方を選択して画像生成手段２９に出力する選択手段２６と、外部記憶媒体が装着部に装着されていることを検出する検出手段５２と、検出手段５２により外部記憶媒体の装着が検出されると被写体照明装置４を消灯する制御手段５２とを備えることにより、上記目的を達成する。
（２２）請求項２２の発明による資料提示装置は、被写体３を撮像して画像信号を出力する撮像装置１と、被写体３を照明する被写体照明装置４と、外部記憶媒体が装着される装着部１０１と、撮像装置１から出力される第１画像信号および装着された外部記憶媒体から入力される第２画像信号のいずれか一方を選択して出力する選択手段２６Ａと、外部記憶媒体が装着部１０１に装着されていることを検出する検出手段５２Ａと、検出手段５２Ａにより外部記憶媒体の装着が検出されると被写体照明装置４を消灯する制御手段５２Ａとを備えることにより、上記目的を達成する。
【０００６】
なお、上記課題を解決するための手段の項では、本発明をわかりやすく説明するために実施の形態の図と対応づけたが、これにより本発明が実施の形態に限定されるものではない。
【０００７】
【発明の実施の形態】
以下、図面を参照して本発明の実施の形態を説明する。図1および図２は、本発明の一実施の形態による画像入出力装置の外観図である。図１は撮像装置１が使用状態（非格納位置）にある場合を、図２は撮像装置１が非使用状態（格納位置）にある場合をそれぞれ示す。
【０００８】
画像入出力装置はメインスイッチ１０４によりパワーオンされる。この画像入出力装置は、画像を入力する撮像装置１と、画像を出力する投射型表示装置７とを備える。撮像装置１は、投射型表示装置７のハウジングに設けられた支柱６の先端に回動可能に支持されている。支柱６は、一端が投射型表示装置７のハウジングに対して回動可能に支持されており、図２に示すように、投射型表示装置７のハウジングに沿って折りたたむことができる。支柱６には、被写体３を照明する照明ランプ４および反射鏡５が設けられている。被写体３は、投射型表示装置７のハウジング上部の載置台７１に載置され、照明ランプ４で照明される。撮像装置１は照明された被写体３を撮影レンズ２を介して撮像する。
【０００９】
投射型表示装置７は、後述する画像生成装置（以下では光学系と呼ぶ）２９の液晶パネル上に画像信号に応じた画像を生成し、その液晶パネルを照明して投射レンズ８を介してスクリーンＳに映像を投射する。この投射型表示装置７には、各種の操作を指令するスイッチなどが設けられた操作パネル１０と、外部から画像信号を入力するための入力端子９と、ＰＣカードなどの外部記憶媒体が差し込まれるスロット１０１とが設けられている。入力端子９には、たとえば、ビデオレコーダなどの外部機器１０３が接続される。投射型表示装置７には赤外線受光素子１１も設けられ、リモコン送信機１２から送信される操作信号を受信する。
【００１０】
図３は本実施の形態による画像入出力装置の概要を表すブロック図である。図３において、撮像装置１は、被写体３からの光束を取り込む撮影レンズ２と、撮影レンズ２から入射された光束を受光して電気信号に変換して出力するＣＣＤのような撮像素子２０とを備えている。撮像装置１はさらに信号処理部２１と撮像制御部２２とを備えている。信号処理部２１は、撮像素子２０から出力される画像信号を増幅してディジタル信号へ変換し、ホワイトバランス調整処理など所定の信号処理を行う。信号処理後の画像信号は、支柱６(図１)内に収容されたケーブルを通して撮像装置１から投射型表示装置７へ送られる。撮像制御部２２は、投射型表示装置７から送られる指令により、撮像素子２０および信号処理部２１を制御する。後述する画像信号のミュートも撮像制御部２２で制御する。
【００１１】
図３において、投射型表示装置７は、複数の入力端子から入力される複数の画像信号のいずれか一つを選択する画像切換スイッチ２６と、この画像切換スイッチ２６で選択された画像信号に基づいて液晶パネルに画像を生成する光学系２９と、入力される画像信号に基づいて液晶パネルを駆動する駆動回路２８と、投射画像が生成されている液晶パネルを照明する投射ランプ３１とを備えている。画像切換スイッチ２６は入力端子Ａ，Ｂ，Ｃ，Ｅのいずれか一つから入力される画像信号を出力端子Ｄに出力する。入力端子Ａには撮像装置１の信号処理部２１からの画像信号が入力される。入力端子Ｂには外部から入力される画像信号が入力される。入力端子Ｅには、スロット１０１に装着されたＰＣカードに記憶されている画像信号をデコータ回路１０２でデコードした画像信号が入力される。入力端子Ｃには、ネットワークを介してネットワークインターフェイス部５１に入力されてデコードされた画像信号が入力される。切換スイッチ２６には画像信号が入力されない開放端子Ｆも設けられている。後述するように、メインスイッチ１０４がオン操作されてパワーオンしたときに、切換スイッチ２６は開放端子Ｆに切換えられる。
【００１２】
投射ランプ３１は、電源回路４３からスイッチ３７を介して点灯回路３２に電力が供給されて点灯し、液晶パネルを照明する。計数回路３９は、投射ランプ３１の累積点灯時間をカウントする。照明ランプ４は、電源回路４１からスイッチ３６を介して点灯回路３３に電力が供給されて点灯され、被写体３を照明する。計数回路３８は、照明ランプ４の累積点灯時間をカウントする。なお、投射ランプ３１や照明ランプ４としては、蛍光灯やメタルハライドランプが用いられる。
【００１３】
蛍光灯やメタルハライドランプは、消灯状態から点灯して安定状態になるまでにある程度の時間を要する。蛍光灯の場合には、前回消灯してからの経過時間が長いほど、周囲温度が低いほど点灯するまでの時間が長くなる。したがって、後述するように、照明ランプ点灯時は所定時間、投射型表示装置７への画像信号の入力を禁止し、所定時間経過後に投射型表示装置７への画像信号の入力を許可する。これにより、照明光量が増加する際の見苦しい画像が投射されるのを防止できる。画像信号入力の禁止の形態として、切換スイッチ２６を開放端子Ｆに切換えて画像信号を投射型表示装置７から遮断したり、撮像装置１で画像信号をミュートすることができる。ミュート回路は信号処理部２１に内蔵される。処理部２７にミュート回路を内蔵してもよい。後述するＯＳＤメモリ３０からスクリーンデータを処理部２７へ出力して画像信号の全体に重ねてもよい。
【００１４】
投射型表示装置７はまた、画像入出力装置の各種機器や回路を制御するＣＰＵ５２と、 ＣＰＵ５２の指令により撮像装置１および投射型表示装置７の各部に対する制御信号を入出力する制御部５３と、画像信号に対してγ調整処理を施して駆動回路２８へ出力する処理部２７とを備えている。処理部２７は、γ調整処理後の画像に対してＯＳＤメモリ３０から読出される重畳用のデータを重ねてオーバーレイ画像を作る。ＯＳＤメモリ３０は、制御部５３から出力される駆動信号により、画像に対して重畳させる重畳データを記憶し、記憶された重畳用データを読出して処理部２７へ送る。なお、重畳用データは、たとえば、オンスクリーン・メニューなどのテキストデータ、および画像全体を置換するスクリーンデータである。
【００１５】
上述したように投射型表示装置７には操作パネル１０が設けられている。この操作パネル１０には、画像切換スイッチ２６を切換えるための操作スイッチ４４、４５および５５と、照明ランプ４を点灯／消灯するための操作スイッチ４６と、投射ランプ３１を点灯／消灯するための操作スイッチ５６と、照明ランプ用インジケータ４７および投射ランプ用のインジケータ４８とが設けられている。照明ランプ用インジケータ４７は照明ランプ４の累積点灯時間に関する情報を表示する。投射ランプ用インジケータ４８は投射ランプ３１の累積点灯時間に関する情報を表示する。
【００１６】
画像切換スイッチ２６は、投射型表示装置７に入力された複数の画像信号のいずれか一つを選択するときに切換えられる。画像切換スイッチ２６の切換えは、操作者が、操作パネル１０に設けられるスイッチ４４，４５，５５を操作して行う。スイッチ４４は、画像切換スイッチ２６の入力を端子Ｂに切換えるためのスイッチであり、スイッチ４５およびスイッチ５５は、それぞれ切換スイッチ２６の入力を端子Ａおよび端子Ｃに切換えるためのスイッチである。これらのスイッチが操作者によって操作されることにより、切換指令信号が制御部５３に送られる。制御部５３は、入力された切換指令信号に対応して切換スイッチ２６に対する切換え指令信号を出力する。切換スイッチ２６の入力を端子Ｅに切換える動作は、スロット１０１にＰＣカードが挿入されたことをＣＰＵ５２が検出することにより行われる。すなわち、ＣＰＵ５２は、スロット１０１内に設けられたＰＣカード用の接続コネクタにおいて、挿抜検出用に割り付けられたピンの信号レベルをチェックする。ＣＰＵ５２は、挿抜検出用ピンの信号レベルが所定の値に変化すると、ＰＣカードが装着されたと判定して制御部５３を介して切換スイッチ２６に対する切換指令信号を出力する。
【００１７】
操作パネル１０に設けられるスイッチ５６の操作により投射ランプ３１を点灯し消灯することができる。制御部５３は、スイッチ５６から入力される操作信号に対応して、投射ランプ３１を点灯／消灯させる駆動信号をスイッチ３７に出力する。スイッチ３７がオンされると、投射ランプ３１の電源回路４３から点灯回路３２に電源が供給され、点灯回路３２が投射ランプ３１を点灯させる。一方、スイッチ３７がオフされると、点灯回路３２への電源の供給が遮断されて投射ランプ３１が消灯する。計数回路３９は、投射ランプ３１の累積点灯時間をカウントして制御部５３へ送る。計数回路３９は、投射ランプ３１が消灯中はカウントを中断する。計数回路３９による計数結果は、インジケータ４８に表示される。インジケータ４８は通常消灯しており、投射ランプ３１の累積点灯時間が所定時間を超えた場合に点滅する。インジケータ４８の表示は、制御部５３から制御される。投射ランプ３１の累積点灯時間が所定時間を超えた場合、ＯＳＤメモリ３０から警告の文字データを処理部２７に出力して、投射映像に警告文字を重ねて表示することもできる。
【００１８】
また、操作パネル１０に設けられるスイッチ４６の操作により、照明ランプ４を点灯し消灯することができる。制御部５３は、スイッチ４６から入力される操作信号に対応して、照明ランプ４を点灯／消灯させる駆動信号をスイッチ３６に出力する。スイッチ３６がオンされると、照明ランプ４の電源回路４１から点灯回路３３に電源が供給され、点灯回路３３が照明ランプ４を点灯させる。一方、スイッチ３６がオフされると、点灯回路３３への電源の供給が遮断されて照明ランプ４が消灯する。計数回路３８は、照明ランプ４の累積点灯時間をカウントして制御部５３へ送る。計数回路３８は、照明ランプ４が消灯中はカウントを中断する。計数回路３８による計数結果は、インジケータ４７に表示される。インジケータ４７は、通常消灯しており、投射ランプ３１の累積点灯時間が所定時間を超えた場合に点滅する。インジケータ４７の表示は、制御部５３から制御される。照明ランプ４の累積点灯時間が所定時間を超えた場合、ＯＳＤメモリ３０から警告の文字データを処理部２７に出力して、投射映像に警告文字を重ねて表示することもできる。
【００１９】
投射型表示装置７は操作パネル１０からの操作に加えて、リモコン送信機１２からの操作信号によっても操作される。赤外線受光素子１１は、リモコン送信機１２から送信される赤外光による操作信号を受光して電気信号に変換する。赤外光による操作信号は、操作者がリモコン送信機１２を操作することにより、リモコン送信機１２から送信される。赤外線受光素子１１で電気信号に変換された操作信号は、復調回路３４で復調された後、制御部５３内のデコード回路によりデコードされる。操作信号がデコードされることにより、画像切換スイッチ２６の入力を切換えるための操作信号に変換される。リモコン送信機１２のスイッチ４９、５０および５４が操作されると、それぞれ、画像切換スイッチ２６の入力を端子Ａ、端子Ｂおよび端子Ｃに切換える操作信号に変換される。制御部５３は、これらの操作信号に対応して、切換スイッチ２６に対する切換え信号を出力する。
【００２０】
次に、図４を参照して光学系２９を詳細に説明する。光学系２９は、ＲＧＢ各色用の画像をそれぞれ生成する液晶パネルＰ１〜Ｐ３と、投射用ランプ３１(図２)からの照明光をＲＧＢにそれぞれ分解して各液晶パネルＰ１〜Ｐ３を照明するＲＧＢ分解用ダイクロイックミラーＤ１〜Ｄ３とを備えている。投射ランプ３１(図２)から発せられた光は、ミラーＭ１で反射されて赤色光を反射するダイクロイックミラーＤ１に入射される。ダイクロイックミラーＤ１は赤色光のみを反射して残りの光を透過する。ダイクロイックミラーＤ１で反射された赤色光はミラーＭ２で再び反射され、赤色用の液晶パネルＰ１、色合成用のダイクロイックミラーＤ３およびＤ４を透過して投射レンズ８へ出射される。
【００２１】
ダイクロイックミラーＤ１を透過した光は、青色光を反射するダイクロイックミラーＤ２に入射される。ダイクロイックミラーＤ２は青色光のみを反射して残りの光を透過する。ダイクロイックミラーＤ２で反射された青色光は、青色用の液晶パネルＰ３を透過した後、色合成用のダイクロイックミラーＤ３で反射され、ダイクロイックミラーＤ４を透過して投射レンズ８へ出射される。ダイクロイックミラーＤ２を透過した緑色光は、緑色用の液晶パネルＰ２を透過した後、ミラーＭ３および色合成用のダイクロイックミラーＤ４で反射されて投射レンズ８に出射される。
【００２２】
投射レンズ８に出射された上記の赤色、青色および緑色の合成光が、投射レンズ８によりスクリーンＳ上に映し出される。以上説明したように、光学系２９が駆動回路２８からの駆動信号により液晶パネルＰ１〜Ｐ３を駆動して、液晶パネルＰ１〜Ｐ３上に形成された像が投射ランプ３１による照明光で空間変調されて、投射レンズ８を通してスクリーンＳ(図１)に投射される。
【００２３】
以上のように構成された画像入出力装置では、
▲１▼撮像装置１からの画像信号を選択するのに応答して照明ランプ４を点灯し、
▲２▼外部入力端子９からの画像信号の選択に応答して照明ランプ４を消灯し、
▲３▼ＰＣカードをスロット１０１に装着するのに応答して照明ランプ４を消灯するような制御が行われる。
【００２４】
以下、▲１▼〜▲３▼の制御について説明する。
▲１▼撮像装置１からの画像信号選択に応答して照明ランプ４を点灯
メインスイッチ１０４をオン操作してパワーオンしたとき、切換スイッチ２６を開放端子Ｆに切換える。開放端子Ｆは開放されているから、画像信号は選択されない。またこのとき、照明ランプ４を消灯し、投射ランプ３１を点灯する。撮像装置１からの画像信号の選択が指令されると、切換スイッチ２６を入力端子Ａに切換えるとともに、撮像装置１において画像信号をミュートして照明ランプ４の点灯を指示する。点灯の指示から所定時間が経過してランプ光量が安定すると、画像信号のミュートを解除して撮像装置１からの画像信号を処理部２７に入力する。これにより、液晶パネルに撮像装置１で撮像した画像信号に基づいて映像が生成され、投射ランプ３１の照明光で液晶パネルが照明され、投射光学系により映像がスクリーンに投射される。
【００２５】
▲２▼外部からの画像信号選択に応答して照明ランプ４を消灯
メインスイッチ１０４をオン操作してパワーオンしたとき、切換スイッチ２６を開放端子Ｆに切換える。開放端子Ｆは開放されているから、画像信号は選択されない。このとき、照明ランプ４を消灯し、投射ランプ３１を点灯する。外部入力端子９からの画像信号の選択が指令されると、切換スイッチ２６を入力端子Ｂに切換え、外部入力である画像信号を処理部２７に入力する。なお、メインスイッチ１０４のオン直後でなく通常使用状態において、外部入力端子９からの画像信号が選択された際に、撮像装置１の照明ランプ４が点灯していれば消灯する。メインスイッチ１０４のオン操作によりすでに投射ランプ３１は点灯しているから、外部入力されている画像信号に基づいて液晶パネルに映像が生成され、その映像がスクリーンに投射される。
【００２６】
▲３▼ＰＣカードをスロット装着に応答して照明ランプ４を消灯
メインスイッチ１０４をオン操作してパワーオンしたとき、切換スイッチ２６を開放端子Ｆに切換える。開放端子Ｆは開放されているから、画像信号は選択されない。このとき、照明ランプ４を消灯し、投射ランプ３１を点灯する。ＰＣカードがスロット１０１に装着されると、ＰＣカードからの画像信号を選択するように切換スイッチ２６を入力端子Ｅに切換え、その画像信号を処理部２７に入力する。なお、メインスイッチ１０４のオン直後でなく通常使用状態において、外部入力端子９からの画像信号が選択された際に、撮像装置１の照明ランプ４が点灯していれば消灯する。メインスイッチ１０４のオン操作によりすでに投射ランプ３１は点灯しているから、ＰＣカードからの画像信号に基づいて液晶パネルに映像が生成され、その映像がスクリーンに投射される。
【００２７】
図５は、上述した機能を実現するためにＣＰＵ５２で行われる処理手順を示す。以下の各ステップの内容はＣＰＵ５２が実行するものであるが、以下の説明では便宜的にＣＰＵ５２からの指令による各装置の動作として説明する。図５において、メインスイッチ１０４がオンされるとステップＳ３０１でこの処理が開始される。ステップＳ３０２で変数Ｆに３をセットする。変数Ｆは画像入出力装置の状態を表し、Ｆ＝１は撮像装置１からの画像信号による映像が投射されている場合である。Ｆ＝２は外部入力端子９からの画像信号による映像が投射されている場合である。Ｆ＝３は全く意味がないことを表す。ステップＳ３０３において、照明ランプ４を消灯し、投射ランプ３１を点灯するとともに、切換スイッチ２６を開放端子Ｆに切換える。これにより、いっさいの画像信号の入力を禁止する。
【００２８】
ステップＳ３０４においてＰＣカードがスロット１０１へ装着されていないと判定されると、ステップＳ４０１に進む。ステップＳ４０１において、スイッチ４５により撮像装置１からの画像信号の選択が指令されていると判定されると、ステップＳ４０２に進む。ステップＳ４０２において、変数Ｆが１ではないと判定されると、ステップＳ４０２Ａにおいて、切換スイッチ２６を入力端子Ａに切換えてステップＳ４０２Ｂへ進む。ステップＳ４０２Ｂにおいて、撮像装置１からの画像信号をミュートする。ステップＳ４０３で照明ランプ４の点灯を指示してステップＳ４０４へ進む。なお、撮像装置１の撮像制御部２２により信号処理部２１へミュートが指令され、信号処理部２１は画像信号の出力を禁止する。
【００２９】
ステップＳ４０４において、点灯指示から所定時間が経過したと判定されると、ステップＳ４０５に進み、ミュートを解除してステップＳ４０７へ進む。ステップＳ４０７では、変数Ｆに１をセットしてステップＳ３０４に戻る。
【００３０】
このような処理により、メインスイッチ１０４のオン操作の後に、スイッチ４５の切換操作により撮像装置１の画像信号を選択することが指令されると、切換スイッチ２６を入力端子Ａに切換えると同時に撮像装置１からの画像信号をミュートするとともに照明ランプ４の点灯を指示する。点灯指示後所定時間が経過してミュートが解除されると、撮像装置１からの画像信号により液晶パネルに画像が生成されてスクリーンに投射される。したがって、照明ランプ４の点灯指令操作が不要となり操作性が向上する。また、照明ランプ４の動作が安定するまでの間はその映像がスクリーンに投射されないので、見苦しい映像の投射が防止される。
【００３１】
ステップＳ４０１において、撮像装置１の画像信号の選択指令が出力されていないと判定されると、ステップＳ５００へ進む。ステップＳ５００において、スイッチ４４により、外部入力端子９に入力されている画像信号の選択指令が出力されていることが判定されると、ステップＳ５０１に進む。ステップＳ５０１で変数Ｆが２と判定されないと、ステップＳ５０２に進む。ステップＳ５０２で切換スイッチ２６を外部入力端子Ｂに切換えてステップＳ５０３へ進む。ステップＳ５０３において、変数Ｆが１と判定されるとステップＳ５０４で撮像装置１の照明ランプ４を消灯する。ステップＳ５０３において、変数Ｆが１と判定されない場合には、照明ランプ４は消灯しているから、ランプ消灯処理であるステップＳ５０４をスキップしてステップＳ５０５に進み、ここで、変数Ｆに２をセットしてステップＳ３０４へ戻る。ステップＳ５０１で変数Ｆが２と判定されたときもステップＳ３０４へ戻る。
【００３２】
このような処理により、メインスイッチ１０４のオン操作の後に外部入力端子９からの画像信号を選択することが指令されると、外部入力端子９からの画像信号を処理部２７へ入力してその画像信号により液晶パネルに画像を生成してスクリーンに投射する。また、照明ランプ４が点灯していれば消灯する。したがって、スイッチ４６による照明ランプ４の消灯操作が不要となり操作性が向上する。また、スイッチ４６により照明ランプ４を消灯させる必要がなく、操作性が向上するとともに、無駄な電力消費が抑制される。さらに、外部からの画像信号を選択した後に被写体照明ランプ４を消灯することより、撮像装置１からの画像信号に基づいた投射映像から外部画像信号に基づいた投射映像へ切り換わる際に、被写体照明ランプ４の消灯に伴った見苦しい映像が投射されるのが防止される。
【００３３】
一方、ステップＳ５００が否定判定されると、ステップＳ５０６に進む。ステップＳ５０６で変数Ｆが１と判定されると、ステップＳ５０７で撮像装置１の照明ランプ４を消灯し、ステップＳ５０８で変数Ｆを３にセットするとともに、切換スイッチ２６を開放端子Ｆに切換え、ステップＳ３０４へ戻る。ステップＳ５０６で変数Ｆが１ではないと判定されるとステップＳ５０７をスキップしてステップＳ５０８へ進む。このような処理により、メインスイッチ１０４のオン操作の後に撮像装置１からの画像信号および外部入力端子９からの画像信号のいずれの選択も指令されない場合には、照明ランプ４を消灯する。したがって、照明ランプ４の消灯操作をすることなく無駄な電力消費が抑制される。
【００３４】
ステップＳ３０４でＰＣカードがスロット１０１へ装着されていると判定されると、ステップ３０５に進む。ステップＳ３０５において、変数Ｆがゼロでないと判定されない場合には、ステップＳ３０６で切換スイッチ２６を入力端子Ｅに切換える。ステップＳ３０７で変数Ｆが１と判定されると、ステップＳ３０８において照明ランプ４を消灯する。次いで、ステップＳ３０９で変数Ｆに０をセットしてステップＳ３０４に戻る。ステップＳ３０７で変数Ｆが１ではないと判定されるとステップＳ３０８をスキップしてステップＳ３０９へ進む。ステップＳ３０５で変数Ｆがゼロと判定されるとステップＳ３０４へ戻る。
【００３５】
このような処理により、メインスイッチ１０４により電源投入したとき、ＰＣカードがスロット１０１に装着していることが検出されると、切換スイッチ２６が入力端子Ｅに切換わってＰＣカードからの画像信号が処理部２７に入力される。液晶パネルには、ＰＣカードから読みとられる画像信号に基づいて映像が生成される。投射ランプ３１の照明光で液晶パネルが照明され、投射光学系により映像がスクリーンに投射される。このとき、照明ランプ４が点灯していれば消灯される。この場合にも、ＰＣカードからの画像信号を選択した後に被写体照明ランプ４を消灯することより、撮像装置１からの画像信号に基づいた投射映像からＰＣカードの画像信号に基づいた投射映像へ切り換わる際に、被写体照明ランプ４の消灯に伴った見苦しい映像が投射されるのが防止される。
【００３６】
図６は図５の変形例を示す図である。図５の処理では、撮像装置１の画像信号を選択するようにスイッチ４５が操作されるのに応答して、ＣＰＵ５２の指令により、切換スイッチ２６を入力端子Ａに切換えるとともに照明ランプ４が安定動作するまで画像信号をミュートした。図６の処理では、撮像装置１の画像信号を選択するようにスイッチ４５が操作されるのに応答して、ＣＰＵ５２は照明ランプ４を点灯させるが、切換スイッチ２６の切換指令は出力しない。そして、照明ランプ４に点灯を指示してから所定時間が経過して照明ランプ４の点灯が完了したと判断した時点で、ＣＰＵ５２は切換スイッチ２６を入力端子Ａに切換える。
【００３７】
ステップＳ４０１において、スイッチ４５により入力端子Ａを選択するように指令されていると判定されると、ステップＳ４０２に進む。ステップＳ４０２で変数Ｆが１ではないと判定されると、ステップＳ４０３において照明ランプ４の点灯を指示する。ステップＳ４０４でランプ点灯指示後所定時間経過したと判定されると、ステップＳ４０６において、ＣＰＵ５２は切換スイッチ２６に対して、入力端子Ａに切換えるような指令を出力する。これにより、切換スイッチ２６の入力端子Ａから撮像装置１の画像信号が処理部２７に入力され、映像がスクリーンに投射される。
【００３８】
以上のように構成された画像入出力装置では、上記の制御に代えて、照明ランプ４の点灯の指示に応答して撮像装置１からの画像信号を選択することもできる。
【００３９】
メインスイッチ１０４をオン操作してパワーオンしたとき、切換スイッチ２６を開放端子Ｆに切換える。開放端子Ｆは開放されているから、画像信号は選択されない。またこのとき、照明ランプ４を消灯し、投射ランプ３１を点灯する。照明ランプ４の点灯スイッチ４６がオン操作されると、切換スイッチ２６を入力端子Ａに切換えた上で、撮像装置１からの画像信号をミュートして照明ランプ４を点灯する。点灯指示から所定時間が経過してランプ光量が安定すると、画像信号のミュートを解除して撮像装置１からの画像信号を処理部２７に入力する。これにより、撮像装置１で撮像した画像信号に基づいた映像が液晶パネルに生成される。投射ランプ３１の照明光で液晶パネルが照明され、投射光学系により映像がスクリーンに投射される。
【００４０】
図７は、上述した機能を実現するためにＣＰＵ５２で行われる処理手順を示す。以下の各ステップの内容はＣＰＵ５２が実行するものである。なお、図７において図５のフローチャートと同一のステップについては、ステップ番号を６００番台として説明を省略する。
【００４１】
メインスイッチ１０４がオンされるとステップＳ６０１でこの処理が開始される。ステップＳ６０１〜６０９のステップは図６のステップＳ３０１〜３０９と全く同一である。ステップＳ６０４においてＰＣカードの装着が検出されないと、ステップＳ７０１に進む。ステップＳ７０１において、照明用スイッチ４６により照明ランプ４の点灯が指示されたと判定されると、ステップＳ７０２に進む。ステップＳ７０２において、変数Ｆが１ではないと判定されると、ステップＳ７０２Ａにおいて、切換スイッチ２６を入力端子Ａに切換える。ステップＳ７０２Ｂにおいて、撮像装置１からの画像信号をミュートするとともに、ステップＳ７０３で照明ランプ４の点灯を指示する。
【００４２】
ステップＳ７０４において、点灯指示から所定時間が経過したと判定されると、ステップＳ７０５に進み、ミュートを解除する。その後、ステップＳ７０７において、変数Ｆに１をセットしてステップＳ６０４に戻る。
【００４３】
このような処理により、メインスイッチ１０４のオン操作の後に照明ランプ４の点灯が指令されると、切換スイッチ２６を入力端子Ａに切換えて撮像装置１からの画像信号を選択し、その画像信号をミュートした上で照明ランプ４の点灯を指示する。点灯指示後所定時間が経過したときにミュートを解除して、撮像装置１の画像信号に基づいた画像を液晶パネルに生成してスクリーンに投射する。
【００４４】
ステップＳ７０１において、スイッチ４６がオン操作されていない、すなわち照明ランプ４の点灯指令が出力されていないと判定されると、ステップＳ８０１へ進む。ステップＳ８０１において、変数Ｆが２と判定されないと、ステップＳ８０２に進む。ステップＳ８０２で切換スイッチ２６を外部入力端子Ｂに切換えてステップＳ８０３へ進む。ステップＳ８０３において、変数Ｆが１と判定されるとステップＳ８０４で撮像装置１の照明ランプ４を消灯し、変数Ｆが１と判定されない場合には、ステップＳ８０４をスキップしてステップＳ８０５で変数Ｆに２をセットする。ステップＳ８０１において、変数Ｆが２と判定されるとステップＳ６０４へ戻る。
【００４５】
このような処理により、メインスイッチ１０４のオン操作の後に照明ランプ４を点灯する指令が出力されず、スロット１０１にＰＣカードも装着されていない場合には、外部入力端子９からの画像信号に切換え、照明ランプ４を消灯する。したがって、画像入力切換操作が不要となり、また照明ランプ４の消灯操作をすることなく無駄な電力消費が抑制される。
【００４６】
図８は図７の変形例を示す図である。図７の処理では、照明ランプ４を点灯するようにスイッチ４６が操作されるのに応答して、ＣＰＵ５２の指令により、切換スイッチ２６を入力端子Ａに切換えるとともに照明ランプ４が安定動作するまで画像信号をミュートした。図８の処理では、照明ランプ４を点灯するようにスイッチ４６が操作されるのに応答して、ＣＰＵ５２は照明ランプ４を点灯させるが、切換スイッチ２６の切換指令は出力しない。そして、照明ランプ４に点灯を指示してから所定時間が経過して照明ランプ４の点灯が完了したと判断した時点で、ＣＰＵ５２は切換スイッチ２６を入力端子Ａに切換える。
【００４７】
ステップＳ７０１において、スイッチ４６により照明ランプ４を点灯する指令が出力されていると判定されると、ステップＳ７０２に進む。ステップＳ７０２で変数Ｆが１ではないと判定されると、ステップＳ７０３において照明ランプ４の点灯を指示する。ステップＳ７０４でランプ点灯指示後所定時間経過したと判定されると、ステップＳ７０６において、ＣＰＵ５２は切換スイッチ２６に対して、入力端子Ａに切換えるような指令を出力する。これにより、切換スイッチ２６の入力端子Ａから撮像装置１の画像信号が処理部２７に入力され、映像がスクリーンに投射される。
【００４８】
図５〜図８の実施の形態において、照明ランプ４の光量が安定するまでの所定時間は画像信号の入力を禁止したり、画像信号をミュートするようにした。この所定時間は照明ランプの点灯に要する最大時間を設定することができる。あるいは、不図示の温度センサで周囲温度を計測したり、前回の消灯からの経過時間を計測して所定時間を可変としてもよい。
【００４９】
以上の説明では、主として画像信号についての説明を行った。一般に、画像信号と音声信号は組み合わせて使用されることが多い。この場合には、音声信号を再生する再生回路、および音声切換えスイッチを設け、画像切換スイッチ２６の入力切換えに同期させて音声切換えスイッチの入力を切換えるようにすればよい。この結果、画像の切換えに合わせて、再生回路が音声切換えスイッチで切換えられた音声信号を再生する。
【００５０】
以上の説明では、撮像装置１と投写型表示装置７を有する画像入出力装置について説明したが、被写体３を撮像して画像信号を出力する撮像装置１だけの資料提示装置にも本発明を適用できる。図９は本発明が適用される資料提示装置の構成を示す図である。図９において図３と同様な箇所には同一の符号を付して相違点を主に説明する。切換スイッチ２６Ａは、３つの入力端子Ａ，Ｂ，Ｅと、１つの開放端子Ｆと、１つの出力端子Ｇとを備えている。入力端子Ａには撮像装置１からの画像信号が入力され、入力端子Ｂには外部入力端子９から入力される外部画像信号が入力され、入力端子Ｅにはスロット１０１に装着されるＰＣカードからの画像信号が入力される。開放端子Ｆは、いずれの画像信号も入力されない開放端子である。出力端子Ｇは外部出力端子１０５に接続されている。切換スイッチ２６Ａは、ＣＰＵ５２Ａにより制御部５３Ａを介して切換えられる。
【００５１】
このような資料提示装置では、図５で説明したのと同様な処理が実行できる。操作パネル１０のスイッチ４５により切換スイッチ２６の入力端子Ａを選択する指令が出力されると、まず切換スイッチ２６を入力端子Ａに切換え、画像信号をミュートして照明ランプ４を点灯する。所定時間経過後、ミュートを解除して映像を投射する。あるいは、図７で説明したのと同様な処理が実行できる。スイッチ４６により照明ランプ４を点灯する指令が出力されると、切換スイッチ２６を入力端子Ａに切換え、画像信号をミュートする。所定時間経過後にミュートを解除する。なお、画像信号のミュートに代えて図６および図８で説明したのと同様な処理により、照明ランプ４の動作が安定するで画像信号の出力を禁止することもできる。
【００５２】
また、ＰＣカードなどの外部記録媒体が装着されたのに応答して、切換スイッチ２６を入力端子Ｅに切換えることもできる。このとき、照明ランプ４を消灯することもできる。
【００５３】
以上説明したように本発明は、▲１▼撮像装置１からの画像信号を選択する指令に応答して照明ランプ４を点灯し、▲２▼照明ランプ４を点灯する指令に応答して撮像装置１の画像信号を選択し、▲３▼外部入力画像信号の選択あるいはＰＣカードの装着により照明ランプ４を消灯するようにしたものである。したがって、このような機能を実現する限り、本発明は上述した実施の形態に限定されることなく、種々の処理手順、回路、構成を採用できる。
【００５４】
【発明の効果】
以上詳細に説明したように本発明によれば、次のような効果を奏する。
（１）請求項１，６，１１，１６の発明のように、撮像装置の画像信号の選択指令に応答して被写体照明装置を点灯したり、あるいは、被写体照明装置の点灯指令に応答して撮像装置の画像信号を選択するようにしたので、被写体照明装置点灯の操作や画像信号の切換操作が不要となり操作性が向上する。
（２）請求項４，９，１５の発明のように、外部から入力される画像信号の選択に応答して被写体照明装置を消灯すれば、照明装置の消灯操作が不要となり、操作性が向上する。
（３）請求項２，３，７、８，１２、１３，１７，１８の発明のように、被写体照明装置の動作が安定するまで映像を投射しないようにすれば、被写体照明装置の不安定動作に伴う見苦しい映像がスクリーンに投射されるのが防止される。
（４）請求項１４および１９の発明のように、被写体照明装置の消灯指令に応答して、外部入力の画像信号を選択するようにすれば、画像信号の選択操作が不要となり操作性が向上する。
（５）請求項２１および２２の発明のように、外部記憶媒体の装着を検出して、外部記憶媒体に記憶されている画像信号の選択動作と被写体照明装置の消灯を行うようにすれば、操作性が向上する。
（６）請求項５，１５，２０の発明のように、外部からの画像信号の選択指令が出力されているとき、その画像信号を選択した後で被写体照明装置を消灯することより、撮像装置からの画像信号に基づいた映像から外部画像信号に基づいた映像へ切り換わる際に、被写体照明装置の消灯に伴った見苦しい映像が表示されるのが防止される。
【図面の簡単な説明】
【図１】本発明の一実施の形態による画像入出力装置の外観図であり、撮像装置が使用状態にある場合を示す。
【図２】本発明の一実施の形態による画像入出力装置の外観図であり、撮像装置が非使用状態にある場合を示す。
【図３】図１の画像入出力装置の概要を表すブロック図である。
【図４】画像生成装置である光学系のブロック図である。
【図５】ＣＰＵで実行される処理手順の一例を説明するフローチャートである。
【図６】図５の変形例を示すフローチャートである。
【図７】ＣＰＵで実行される処理手順の他の例を説明するフローチャートである。
【図８】図７の変形例を示すフローチャートである。
【図９】本発明が適用される資料提示装置の概要を表すブロック図である。
【符号の説明】
１…撮像装置                      ２…撮影レンズ
３…被写体                      ４…照明ランプ
５…反射鏡                      ６…支柱
７…投射型表示装置              ８…投射レンズ
９…入力端子                  １０…操作パネル
２０…撮像素子                  ２１…信号処理部
２２…撮像制御部                ２６…画像切換えスイッチ
２７…処理部                    ２９…光学系
３１…投射ランプ                ５２…ＣＰＵ
５３…制御部                  １００…マイクロスイッチ
１０４…メインスイッチ              Ｓ…スクリーン
【図１】
0004265060.tif 000002
【図２】
0004265060.tif 000003
【図３】
0004265060.tif 000004
【図４】
0004265060.tif 000005
【図５】
0004265060.tif 000006
【図６】
0004265060.tif 000007
【図７】
0004265060.tif 000008
【図８】
0004265060.tif 000009
【図９】
0004265060.tif 000010